(57)【特許請求の範囲】
【請求項１】
壁に固定された支持材と、
浴槽および前記壁から離間した状態で前記支持材により下面を支持され上面視において後端よりも後方の前記支持材の横方向の幅よりも広い横方向の幅を有する天板と、
前記天板よりも上方に設けられた被ホース接続部と、
一端が前記被ホース接続部に接続されたホースと、
前記ホースの他端に接続されたシャワーヘッドと、
前記シャワーヘッドが前記天板よりも前方で操作されているときに、前記ホースが前記天板を下回って前記後端に引っ掛かることを抑制するホース引っ掛かり抑制手段であって、前記ホースが前記天板の後方における前記天板と前記壁との間の隙間に入り込むことを抑制する障害物によって構成されたホース引っ掛かり抑制手段と、
を備えたことを特徴とする浴室。
【請求項２】
前記障害物は、上面視において、前記天板の側方の隙間もしくは前記天板の後方の隙間の内の左右端部の隙間を横切るように突出した突出部であることを特徴とする請求項１記載の浴室。
【請求項３】
前記突出部は、前記天板の側方の隙間もしくは前記左右端部の隙間の一部の幅がホースの径よりも小さくなるよう突出していることを特徴する請求項２記載の浴室。
【請求項４】
前記突出部は、前記浴槽もしくは前記壁に取り付けられた幅狭化部材であることを特徴とする請求項３記載の浴室。
【請求項５】
前記突出部は、前記天板の後方の左右両端の側、かつ、前記天板の下方において、前後方向に延びるように突出していることを特徴とする請求項２記載の浴室。
【請求項６】
前記障害物は、前記天板の下面に固定された取付部を有し、前記取付部において前記天板の下面に固定された移動阻止具であることを特徴とする請求項５記載の浴室。
【請求項７】
前記突出部は、着脱自在に取り付けられたことを特徴とする請求項４または６に記載の浴室。
【請求項８】
前記障害物は、前記ホースの一端および前記ホースの他端の径よりも中央部の径が局部的に大きくなるよう前記中央部に取り付けられたホース径拡大部材であり、
前記ホースに取り付けられた前記ホース径拡大部材の外径は、前記天板の側方の隙間の幅もしくは前記天板の後方の隙間の幅以上となるよう構成されたことを特徴とする請求項１記載の浴室。
【請求項９】
壁に固定された支持材と、
浴槽および前記壁から離間した状態で前記支持材により下面を支持される天板と、
前記天板よりも上方に設けられた被ホース接続部と、
一端が前記被ホース接続部に接続されたホースと、
前記ホースの他端に接続されたシャワーヘッドと、
を備え、
前記支持材は、
前記天板の下面を支持すると共に上面視において前記天板の後端よりも後方の横方向の幅が前記天板の横方向の幅よりも狭い第１の支持具と、
前記天板の下面を支持すると共に上面視において前記天板の後端よりも後方の横方向の幅が前記天板の横方向の幅よりも狭い第２の支持具と、
を有し、
前記第１の支持具を前記天板の右端側に配置すると共に、前記第２の支持具を前記天板の左端側に配置することで、前記第１の支持具および第２の支持具が、前記シャワーヘッドが前記天板よりも前方で操作されているときに前記ホースが前記天板の後方における前記天板と前記壁との間の隙間に入り込むことを抑制する障害物となるよう構成されたことを特徴とする浴室。
【請求項１０】
前記被ホース接続部は、前記天板の上方に設けられた水栓に設けられたことを特徴とする請求項１〜９のいずれか１つに記載の浴室。
【発明の詳細な説明】
【技術分野】
【０００１】
本発明の態様は、一般的に、カウンタが取り付けられた浴室に関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。したがって、入隅の掃除には手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅にこびりついた水垢や石鹸カスを落とすことは容易ではなく、入隅の掃除には手間がかかるという点においては、改善の余地がある。
【０００６】
これに対して、本発明者は、浴室の壁面および浴槽から離間して設けられた天板を有する浴室用カウンタを検討中である。検討中の天板は、浴室の壁面（天板後方の壁面）に取り付けられた支持材により支持されている。また、検討中の支持材は、上面視において天板後端よりも後方に存在する支持材の横方向の幅（左端から右端までの長さ）が天板の横方向の幅よりも狭い。上面視において天板後端よりも後方に存在する支持材の上面には天板から流れてくる排水がかかりやすいため、このように支持材の横方向の幅を狭くすることによって、支持材上面の横方向における清掃範囲を抑えることができ、支持材上面の掃除の手間を抑えることができる。
【０００７】
しかし、本発明者の得た知見によれば、検討中の浴室用カウンタを備えた浴室では、使用者が手に持ったシャワーヘッドを天板よりも前方で操作しているときに、シャワーヘッドに接続されたホースがシャワーヘッドの動きに応じて振り回され、天板よりも上方から下降するホースが天板の側方から天板と浴室の壁面との間の隙間に入り、ホースが天板を下回ることがある。すると、シャワーヘッドに接続されたホースが天板の後端に引っ掛かり、シャワーヘッドを所望の位置まで移動させられないなど、シャワーヘッドの使い勝手が非常に悪くなることがあるという新たな課題が生ずる。
【先行技術文献】
【特許文献】
【０００８】
【特許文献１】特開２０１１−６７３４０号公報
【特許文献２】特開２０１３−１７９９８７号公報
【発明の概要】
【発明が解決しようとする課題】
【０００９】
本発明は、かかる課題の認識に基づいてなされたものであり、ホースが天板の後端に引っ掛かることを抑制することができる浴室を提供することを目的とする。
【課題を解決するための手段】
【００１０】
第１の発明は、壁に固定された支持材と、浴槽および前記壁から離間した状態で前記支持材により下面を支持され上面視において後端よりも後方の前記支持材の横方向の幅よりも広い横方向の幅を有する天板と、前記天板よりも上方に設けられた被ホース接続部と、一端が前記被ホース接続部に接続されたホースと、前記ホースの他端に接続されたシャワーヘッドと、前記シャワーヘッドが前記天板よりも前方で操作されているときに、前記ホースが前記天板を下回って前記後端に引っ掛かることを抑制するホース引っ掛かり抑制手段であって、前記ホースが前記天板の後方における前記天板と前記壁との間の隙間に入り込むことを抑制する障害物によって構成されたホース引っ掛かり抑制手段と、を備えたことを特徴とする浴室である。
【００１１】
この浴室によれば、天板の全ての側端面が浴槽および壁面から水平方向に離間しているため、天板と浴槽との間および天板と壁面との間において入隅が形成されることを抑えることができる。  
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室の見栄えをより向上させることができる。  
また、天板の全ての側端面が浴槽および壁面から水平方向に離間しているため、例えば清掃者は、汚れが付着した天板の側端面を端から端まで洗剤およびスポンジなどの清掃用具で簡単に擦り洗いすることができる。  
また、天板後端よりも後方の支持材の幅が天板の幅よりも狭いため、天板よりも後方側における支持材の上面の横方向の清掃範囲を小さく抑えることができる。これにより、水が比較的かかりやすい支持材の上面の清掃の手間を軽減することができる。  
さらに、ホースが天板の後方の隙間に入り込むことを抑制する障害物が設けられているため、ホースが天板の後端に引っ掛かることを抑制することができる。
【００１２】
第２の発明は、第１の発明において、前記障害物は、上面視において、前記天板の側方の隙間もしくは前記天板の後方の隙間の内の左右端部の隙間を横切るように突出した突出部であることを特徴とする浴室である。
【００１３】
洗い場にいる使用者がシャワーヘッドを操作するときに、被ホース接続部から下降しているホースが天板の後方の隙間に入り込む場合には、ホースが天板の側方の隙間を経て天板の後方の隙間に入り込む。第２の発明の浴室によれば、上面視において突出部が隙間を横切るように突出しているため、ホースは、天板の後方の隙間に入り込む前に突出部に当たる。これにより、ホースが天板の後方の隙間へ移動することが妨害されるため、ホースが天板の後端に引っ掛かることを抑制することができる。
【００１４】
第３の発明は、第２の発明において、前記突出部は、前記天板の側方の隙間もしくは前記左右端部の隙間の一部の幅がホースの径よりも小さくなるよう突出していることを特徴する浴室である。
【００１５】
この浴室によれば、天板の側方の隙間、もしくは天板の後方の隙間の内の左右端部の隙間の一部の幅がホースの径よりも小さくなるため、確実にホースの移動を阻止でき、確実にホースが天板の後端に引っ掛かることを抑制することができる。
【００１６】
第４の発明は、第３の発明において、前記突出部は、前記浴槽もしくは前記壁に取り付けられた幅狭化部材であることを特徴とする浴室である。
【００１７】
この浴室によれば、突出部は、浴槽もしくは浴室の壁に取り付けられ、天板には取り付けられていない。そのため、天板の側方の隙間、もしくは天板の後方の隙間の内の左右端部の隙間を狭くした状態でも天板の側端面の清掃性を確保することができる。
【００１８】
第５の発明は、第２の発明において、前記突出部は、前記天板の後方の左右両端の側、かつ、前記天板の下方において、前後方向に延びるように突出していることを特徴とする浴室である。
【００１９】
この浴室によれば、突出部が、天板の後方の左右両端の側、かつ、天板の下方において、前後方向に延びるように突出しているため、使用者は、洗い場に立った状態では突出部を視認し難い。また、使用者は、天板の上に載置された物を取るときなどに、突出部と当たることはほとんどない。これにより、デザイン性および使い勝手の良さを確保することができる。
【００２０】
第６の発明は、第５の発明において、前記障害物は、前記天板の下面に固定された取付部を有し、前記取付部において前記天板の下面に固定された移動阻止具であることを特徴とする浴室である。
【００２１】
この浴室によれば、突出部が移動阻止具として水がかかりにくい天板の下面に固定されているため、障害物の取付部に汚れが付着しづらく、障害物の取付部の清掃の手間を軽減させることができる。
【００２２】
第７の発明は、第４または６の発明において、前記突出部は、着脱自在に取り付けられたことを特徴とする浴室である。
【００２３】
この浴室によれば、清掃時に突出部を取り外すことで、清掃性（清掃の行いやすさ）を向上させることができる。
【００２４】
第８の発明は、第１の発明において、前記障害物は、前記ホースの一端および前記ホースの他端の径よりも中央部の径が局部的に大きくなるよう前記中央部に取り付けられたホース径拡大部材であり、前記ホースに取り付けられた前記ホース径拡大部材の外径は、前記天板の側方の隙間の幅もしくは前記天板の後方の隙間の幅以上となるよう構成されたことを特徴とする浴室である。
【００２５】
上述したように、洗い場にいる使用者がシャワーヘッドを操作するときに、被ホース接続部から下降しているホースが天板の後方の隙間に入り込む場合には、ホースが天板の側方の隙間を経て天板の後方の隙間に入り込む。第８の発明の浴室によれば、ホースの中央部が天板の後方の隙間に入り込むことを抑制することができる。すなわち、Ｕ字状の垂れるホースのうちで天板の後方や側方の隙間に入り込む部分は、ホースの一端およびホース他端ではなく、ホースの中央部である。ホースの中央部の径が、障害物のホース径拡大部材により、天板の側方の隙間の幅もしくは天板の後方の隙間の幅以上となっているため、天板の後方の隙間に入り込むことを抑制することができる。
【００２６】
第９の発明は、壁に固定された支持材と、浴槽および前記壁から離間した状態で前記支持材により下面を支持される天板と、前記天板よりも上方に設けられた被ホース接続部と、一端が前記被ホース接続部に接続されたホースと、前記ホースの他端に接続されたシャワーヘッドと、を備え、前記支持材は、前記天板の下面を支持すると共に上面視において前記天板の後端よりも後方の横方向の幅が前記天板の横方向の幅よりも狭い第１の支持具と、前記天板の下面を支持すると共に上面視において前記天板の後端よりも後方の横方向の幅が前記天板の横方向の幅よりも狭い第２の支持具と、を有し、前記第１の支持具を前記天板の右端側に配置すると共に、前記第２の支持具を前記天板の左端側に配置することで、前記第１の支持具および第２の支持具が、前記シャワーヘッドが前記天板よりも前方で操作されているときに前記ホースが前記天板の後方における前記天板と前記壁との間の隙間に入り込むことを抑制する障害物となるよう構成されたことを特徴とする浴室である。
【００２７】
この浴室によれば、天板の全ての側端面が浴槽および壁面から水平方向に離間しているため、天板と浴槽との間および天板と壁面との間において入隅が形成されることを抑えることができる。  
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室の見栄えをより向上させることができる。  
また、天板の全ての側端面が浴槽および壁面から水平方向に離間しているため、例えば清掃者は、汚れが付着した天板の側端面を端から端まで洗剤およびスポンジなどの清掃用具で簡単に擦り洗いすることができる。  
また、天板後端よりも後方において横方向の幅が天板の横方向の幅よりも狭い支持具を左端側および右端側に配置して天板が支持されるため、支持材の上面の清掃面積を小さく抑えることができる。これにより、水が比較的かかりやすい支持材の上面の清掃の手間を軽減することができる。  
また、天板の右端側および左端側に配置された支持具によって、天板後方の隙間に入り込もうとするホースを妨害できるため、支持材によって天板を支持しつつ、ホースが天板後方の隙間に入り込むことを抑制できる。よって、別途専用の部材を設けることなく、ホースが天板後方の隙間に入り込むことを抑制できる。
【００２８】
第１０の発明は、第１〜９のいずれか１つの発明において、前記被ホース接続部は、前記天板の上方に設けられた水栓に設けられたことを特徴とする浴室である。
【００２９】
この浴室によれば、前述した新たな課題が発生しやすい状況であるにもかかわらず、ホースが天板の後端に引っ掛かることを抑制することができる。すなわち、洗面器が置かれるカウンタにおいては、通常、天板の左右の幅の上方に水栓が設けられる。このような水栓に直接的にホースを接続できるとコストメリットが比較的大きい。しかし、このような水栓では、設計の制約上、被ホース接続部が正面視で天板の左右端よりも内方に配置されることがあり、このように配置される場合、天板の左右端よりも内方からホースが下降するため、ホースが非常に引っ掛かりやすくなる。  
これに対して、本発明の浴室では、そのような水栓に直接的にホースを接続しつつも、前述した新たな課題が発生しやすい状況であるにもかかわらず、ホースが天板の後端に引っ掛かることを抑制することができる。
【発明の効果】
【００３０】
本発明の態様によれば、ホースが天板の後端に引っ掛かることを抑制することができる浴室が提供される。
【図面の簡単な説明】
【００３１】
【図１】本発明の実施の形態にかかる浴室を表す模式的斜視図である。
【図２】本実施形態にかかる浴室を表す模式的平面図である。
【図３】本実施形態の被ホース接続部およびホースを表す模式的斜視図である。
【図４】本実施形態にかかる浴室を表す模式的平面図である。
【図５】本実施形態にかかる浴室を表す模式的平面図である。
【図６】本発明の他の実施形態にかかる浴室を表す模式的斜視図である。
【図７】本実施形態にかかる浴室を表す模式的平面図である。
【図８】本実施形態にかかる浴室を表す模式的平面図である。
【図９】本実施形態にかかる浴室を表す模式的平面図である。
【図１０】図９に表した領域Ａ２１を拡大して表した模式的拡大図である。
【図１１】本実施形態の障害物が天板に取り付けられた状態を表す模式的拡大図である。
【図１２】本発明の他の実施形態にかかる浴室を表す模式的平面図である。
【図１３】本発明のさらに他の実施の形態にかかる浴室を表す模式的平面図である。
【図１４】本発明のさらに他の実施の形態にかかる浴室を表す模式的平面図である。
【図１５】本実施形態の障害物の具体例を表す模式的断面図である。
【図１６】本発明のさらに他の実施の形態にかかる浴室を表す模式的平面図である。
【図１７】本発明のさらに他の実施の形態にかかる浴室を表す模式的平面図である。
【図１８】本発明のさらに他の実施の形態にかかる浴室を表す模式的平面図である。
【発明を実施するための形態】
【００３２】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す模式的斜視図である。  
図２は、本実施形態にかかる浴室を表す模式的平面図である。  
図３は、本実施形態の被ホース接続部およびホースを表す模式的斜視図である。  
図４および図５は、本実施形態にかかる浴室を表す模式的平面図である。
【００３３】
図２は、本実施形態にかかる浴室を上方から眺めた（上面視）ときの模式的平面図である。図４は、本実施形態にかかる浴室を前方から眺めた（正面視）ときの模式的平面図である。図５は、本実施形態にかかる浴室を側方から眺めたときの模式的平面図である。
【００３４】
本実施形態にかかる浴室１０は、浴槽２００と、カウンタ３００と、水栓４００と、ホース引っ掛かり抑制手段５００と、を備える。浴室１０は、鏡８０１を備えていてもよい。
【００３５】
カウンタ３００および水栓４００は、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００３６】
カウンタ３００は、天板３１０と、支持材３２０と、を有する。  
図２に表したように、天板３１０は、第１の側端面３１１と、第２の側端面３１２と、第３の側端面３１３と、第４の側端面３１４と、上面３１６と、下面３１７（図４参照）と、を有し、支持材３２０により支持されている。図１および図２に表したように、天板３１０は、浴槽２００、第１の壁面１１０および第２の壁面１２０から離間している。
【００３７】
より具体的に説明すると、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００３８】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３９】
第１の側端面３１１、第２の側端面３１２、および第３の側端面３１３の拭き掃除をするために、距離Ｄ１、距離Ｄ２、および距離Ｄ３は、より適切な距離に適宜設定されている。具体的には、距離Ｄ１、距離Ｄ２、および距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１、距離Ｄ２、および距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。なお、第１の側端面３１１、第２の側端面３１２、第３の側端面３１３、および第４の側端面３１４は、平面ではなく曲面を有していてもよい。例えば、側端面３１１〜３１４は、外方に向かって凸状に湾曲した形状でも良い。これによれば、例えば清掃者は、拭き掃除をより一層手軽に行うことができる。
【００４０】
支持材３２０は、第１の壁面１１０に取り付けられている。より具体的には、支持材３２０の一端は、例えばボルトなどの締結具により第１の壁面１１０に固定されている。支持材３２０の他端は、例えばネジなどの締結具により天板３１０の下面３１７に固定され、天板３１０の下面３１７を支持している。なお、支持材３２０は、天板３１０の下面３１７を直接的に支持しているのではなく、天板３１０の撓みを抑える補強材（図示せず）を介して天板３１０の下面３１７を支持していてもよい。また、支持材３２０は、天板３１０を支持する支持材本体と、支持材本体を覆うカバーから構成されていても良い。
【００４１】
天板３１０よりも後方側において、支持材３２０の幅は、天板３１０の幅よりも狭い。つまり、図２に表したように、支持材３２０の横方向の長さ（横方向の幅）Ｄ５は、天板３１０の横方向の長さ（横方向の幅）Ｄ４よりも短い。言い換えれば、天板３１０の幅は、天板３１０の後端よりも後方の支持材３２０の幅よりも広い。なお、天板３１０の後端よりも前方側において、支持材３２０の横方向の長さは、天板３１０の横方向の長さより短くても良いし、天板３１０の横方向の長さより長くても構わない。また、天板３１０の横方向の長さと同一でも構わない。  
本願明細書において「横方向」とは、水平方向であって第１の壁面１１０に平行な方向をいう。
【００４２】
天板３１０の第２の側端面３１２と、支持材３２０の左端と、の間の横方向の距離Ｄ９は、例えば約１９５ｍｍ以上、４５０ｍｍ以下程度である。天板３１０の第３の側端面３１３と、支持材３２０の右端と、の間の距離Ｄ１０は、例えば約１９５ｍｍ以上、４５０ｍｍ以下程度である。これによれば、天板３１０の上面３１６に複数の物を置くことができるようにしつつも、天板３１０も安定して支持することができる。
【００４３】
天板３１０の上面３１６は、略平坦である。例えば、使用者は、洗面器やシャンプーのボトル等を天板３１０の上面３１６に載せることができる。天板３１０の上面３１６には、排水のための傾斜が設けられていてもよい。この場合、経年によって傾斜方向が変わらないよう、天板３１０の上面３１６を前方側に下降傾斜させておくことが好ましい。天板３１０の上面３１６の傾斜角度は、水が天板３１０の上面３１６に著しく残らない程度の排水勾配の角度、かつ、天板３１０の上面３１６に置かれた物が滑り落ちない程度の傾斜角度であることがより好ましい。天板３１０の上面３１６の傾斜角度は、例えば約１．１５度以上、１．９１度以下程度である。
【００４４】
本願明細書において、「前方」とは、カウンタ３００および水栓４００が第１の壁面１１０に取り付けられた状態において、第１の壁面１１０に垂直な方向であって第１の壁面１１０からみてカウンタ３００および水栓４００の側の方向をいう。本願明細書において、「後方」とは、「前方」とは反対の方向をいう。本願明細書において、「下方」とは、カウンタ３００および水栓４００が第１の壁面１１０に取り付けられた状態において、鉛直方向であって水栓４００からみてカウンタ３００の側の方向をいう。本願明細書において、「上方」とは、「下方」とは反対の方向をいう。
【００４５】
水栓４００は、カウンタ３００よりも上方に設けられ、第１の壁面１１０に取り付けられている。水栓４００は、被ホース接続部４１１と、吐水部４１３と、を有する。被ホース接続部４１１は、天板３１０よりも上方に設けられている。
【００４６】
また、水栓４００には、シャワーヘッド４３０と、ホース４４０と、が設けられている。ホース４４０の一端は、被ホース接続部４１１に接続されている。ホース４４０の他端は、シャワーヘッド４３０に接続されている。
【００４７】
より具体的に説明すると、図３に表したように、被ホース接続部４１１の先端部には、雄ねじ４１１ａが形成されている。一方で、ホース４４０の先端部には、接続金具４４８が設けられている。接続金具４４８の内側には、雌ねじ４４８ａが形成されている。接続金具４４８の雌ねじ４４８ａを被ホース接続部４１１の雄ねじ４１１ａに締め付けることにより、ホース４４０の一端は、被ホース接続部４１１に接続される。接続金具４４８の軸方向は、接続金具４４８から延びるホース４４０の軸方向と同一である。また、被ホース接続部４１１に接続されたホース４４０は、被ホース接続部４１１の軸方向に延びている。被ホース接続部４１１は可動式（被ホース接続部４１１の軸方向がホース４４０の動きに応じて変化する）でも固定式（被ホース接続部４１１の軸方向がホース４４０の動きに応じて変化しない）でも構わない。
【００４８】
ホース４４０は、可撓性および弾性を有する。また、ホース４４０の径は、例えば１２ミリメートル（ｍｍ）以上、２０ｍｍ以下程度である。但し、ホース４４０の径は、一例であり、これだけには限定されない。ホース４４０の材料としては、例えばゴムや金属などが挙げられる。
【００４９】
水栓４００は、供給された水を吐水部４１３から天板３１０へ向かって吐出する。例えば、水栓４００は、天板３１０の上に載置された洗面器に吐水部４１３から水を供給する。あるいは、水栓４００は、供給された水を被ホース接続部４１１からホース４４０へ導く。ホース４４０へ導かれた水は、シャワーヘッド４３０から吐出される。水栓４００は、温度調整ユニット（図示せず）と、流量調整ユニット（図示せず）と、を有する。本願明細書において、「水」には、冷水のみならず、加温されたお湯が含まれる。
【００５０】
ホース引っ掛かり抑制手段５００は、障害物５５０によって構成されている。障害物５５０は、第１の壁面１１０に取り付けられ、ホース４４０が天板３１０の後方の隙間Ｓ１に側方から入り込むことを抑制する。
【００５１】
より具体的に説明すると、図４および図５に表したように、障害物５５０は、上面視において、天板３１０の側方の隙間、もしくは天板３１０の後方の隙間Ｓ１の内の左右端部の隙間を横切るように突出した突出部５５１である。突出部５５１は、天板３１０の側方の隙間、もしくは天板３１０の後方の隙間Ｓ１の内の左右端部の隙間の一部の幅がホース４４０の径よりも小さくなるよう突出している。突出部５５１は、第１の壁面１１０に取り付けられた幅狭化部材である。
【００５２】
ここで、本願明細書において「天板３１０の側方の隙間」という範囲は、第２の側端面３１２と浴槽２００の側面２１０との間の隙間Ｓ２および第３の側端面３１３と第２の壁面１２０との間の隙間Ｓ３だけではなく、第１の壁面１１０と浴槽２００の側面２１０との間のコーナ部に形成される隙間Ｓ４および第１の壁面１１０と第２の壁面１２０との間のコーナ部に形成される隙間Ｓ５が含まれるものとする。そのため、図２に表した二点鎖線の障害物５５０のように、障害物５５０は、上面視において、第１の壁面１１０と浴槽２００の側面２１０との間のコーナ部に形成される隙間Ｓ４あるいは第１の壁面１１０と第２の壁面１２０との間のコーナ部に形成される隙間Ｓ５を横切るように突出して設けられていてもよい。これは、図６〜図１１に関して後述する障害物５３０および図１２に関して後述する障害物３１９においても同様である。
【００５３】
突出部５５１は、第１の壁面１１０に固定されていてもよいし、着脱自在に設けられていてもよい。突出部５５１を着脱自在に設ける手段としては、例えば、磁石による手段や、吸着による手段などが挙げられる。また、突出部５５１は、第１の壁面１１０に取り付けられることには限定されず、浴槽２００に取り付けられていてもよい。
【００５４】
本実施形態によれば、天板３１０の全ての側端面が浴槽２００、第１の壁面１１０、および第２の壁面１２０から水平方向に離間しているため、天板３１０と浴槽２００との間、天板３１０と第１の壁面１１０との間、および天板３１０と第２の壁面１２０との間において入隅が形成されることを抑えることができる。
【００５５】
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００５６】
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室１０の見栄えをより向上させることができる。
【００５７】
また、天板３１０の全ての側端面が浴槽２００、第１の壁面１１０、および第２の壁面１２０から水平方向に離間しているため、例えば清掃者は、汚れが付着した天板３１０の側端面を端から端まで洗剤およびスポンジなどの清掃用具で簡単に擦り洗いすることができる。
【００５８】
また、支持材３２０の幅が天板３１０の幅よりも狭いため、天板３１０よりも後方側における支持材３２０の上面の横方向の清掃範囲をより小さく抑えることができる。さらに、天板３１０よりも後方側における支持材３２０の上面の面積をより狭い面積に抑えることができる。これにより、水が比較的かかりやすい、天板３１０よりも後方側の支持材３２０の上面の清掃の手間を軽減することができる。
【００５９】
ここで、天板３１０よりも後方側において、支持材３２０の幅が天板３１０の幅よりも狭く、天板３１０の全ての側端面が浴槽２００、第１の壁面１１０、および第２の壁面１２０から水平方向に離間しているため、使用者が手に持ったシャワーヘッドを天板よりも前方で操作しているときに、シャワーヘッドに接続されたＵ字状に垂れるホースがシャワーヘッドの動きに応じて振り回され、天板よりも上方から下降するホースが、天板の側方から天板と第１の壁面との間の隙間（図２の例では、隙間Ｓ１）に入ってしまい、天板よりも上方から下降するホースが天板後方の隙間を通り、かつ、シャワーヘッドに向かって上昇するホースが天板前方の空間を通る形態で、Ｕ字状に垂れるホースの下部が天板を下回ることがある。すると、天板よりも上方から下降するホースが天板の後端に引っ掛かり、シャワーヘッドを所望の位置まで移動させられないなど、シャワーヘッドの使い勝手が非常に悪くなることがあるという新たな課題が生ずる。
【００６０】
これに対して、本実施形態にかかる浴室１０は、ホース引っ掛かり抑制手段５００を備える。ホース引っ掛かり抑制手段５００は、障害物５５０によって構成され、使用者がシャワーヘッド４３０を天板３１０よりも前方で操作しているときに、シャワーヘッド４３０に接続されたホース４４０が天板３１０を下回って天板３１０の後端に引っ掛かることを抑制する。また、障害物５５０は、被ホース接続部４１１から天板３１０よりも下方まで下降するホース４４０が天板３１０の後方の隙間Ｓ１に側方から入り込むことを抑制する。
【００６１】
これによれば、被ホース接続部４１１から天板３１０よりも下方まで下降するホース４４０が天板３１０の後方の隙間Ｓ１に側方から入り込むことを抑制する障害物５５０が設けられているため、ホース４４０が天板３１０の後端に引っ掛かることを抑制することができる。これにより、シャワーヘッド４３０の使い勝手が悪くなることを抑制することができる。
【００６２】
また、洗い場１００にいる使用者８１１がシャワーヘッド４３０を操作するときに、ホース４４０が振り回され、被ホース接続部４１１から天板３１０よりも下方まで下降しているホース４４０が天板３１０の後方の隙間Ｓ１に側方から入り込む場合には、ホース４４０が天板３１０の側方の隙間を経て天板３１０の後方の隙間Ｓ１に入り込む。本実施形態では、突出部５５１が隙間Ｓ１の内の左右端部の隙間を横切るように突出しているため、ホース４４０は、天板３１０の後方の隙間Ｓ１に側方から入り込む前に突出部５５１に当たる。これにより、ホース４４０が天板３１０の後方の隙間Ｓ１へ移動することが妨害されるため、ホース４４０が天板３１０の後端に引っ掛かることを抑制することができる。
【００６３】
また、天板３１０の側方の隙間、もしくは天板３１０の後方の隙間Ｓ１の内の左右端部の隙間の一部の幅がホース４４０の径よりも小さくなるため、確実にホース４４０の移動を阻止でき、確実にホース４４０が天板３１０の後端に引っ掛かることを抑制することができる。
【００６４】
また、本実施形態の突出部５５１は、第１の壁面１１０に取り付けられ、天板３１０には取り付けられていない。そのため、天板３１０の側方の隙間、もしくは天板３１０の後方の隙間Ｓ１の内の左右端部の隙間を狭くした状態でも天板３１０の側端面の清掃性を確保することができる。突出部５５１が着脱自在に設けられている場合には、清掃時に突出部５５１を取り外すことで、清掃性（清掃の行いやすさ）を向上させることができる。
【００６５】
さらに、被ホース接続部４１１は、天板３１０の上方に設けられた水栓４００に設けられている。  
洗面器が置かれるカウンタ３００においては、通常、天板３１０の左右の幅の上方に水栓４００が設けられる。このような水栓４００に直接的にホース４４０を接続できるとコストメリットが比較的大きい。しかし、このような水栓では、設計の制約上、被ホース接続部が正面視で天板の左右端よりも内方に配置されることがあり、このように配置される場合、天板の左右端よりも内方からホースが下降するため、ホースが非常に引っ掛かりやすくなる。  
これに対して、本実施形態では、そのような水栓４００に直接的にホース４４０を接続しつつも、前述した新たな課題が発生しやすい状況であるにもかかわらず、ホース４４０が天板３１０の後端に引っ掛かることを抑制することができる。
【００６６】
次に、本発明の他の実施の形態について説明する。  
図６は、本発明の他の実施形態にかかる浴室を表す模式的斜視図である。  
図７〜図９は、本実施形態にかかる浴室を表す模式的平面図である。  
図１０は、図９に表した領域Ａ２１を拡大して表した模式的拡大図である。  
図１１は、本実施形態の障害物が天板に取り付けられた状態を表す模式的拡大図である。
【００６７】
図７は、本実施形態にかかる浴室を上方から眺めたときの模式的平面図である。図８は、本実施形態にかかる浴室を前方から眺めたときの模式的平面図である。図９は、本実施形態にかかる浴室を側方から眺めた（側面視）ときの模式的平面図である。
【００６８】
図１〜図５に関して前述した新たな課題に対して、本実施形態にかかる浴室１０では、図１〜図５に関して前述した浴室１０と同様に、ホース引っ掛かり抑制手段５００は、障害物５３０によって構成されている。障害物５３０は、被ホース接続部４１１から天板３１０よりも下方まで下降するホース４４０が天板３１０の後方の隙間Ｓ１に側方から入り込むことを抑制する。
【００６９】
より具体的に説明すると、図９および図１０に表したように、障害物５３０は、天板３１０の後方における下面３１７に設けられている。図１１に表したように、障害物５３０は、例えばねじなどの締結部材５３８により天板３１０の後方における下面３１７に固定されている。なお、本願明細書において障害物５３０が「下面３１７に固定され」た状態とは、天板３１０にカバーが設けられた場合には、障害物５３０がカバーの下面に固定された状態を含むものとする。
【００７０】
図１０および図１１に表したように、障害物５３０は、突出部５３１と、取付部５３３と、を有する。障害物５３０は、取付部５３３において、天板３１０の下面３１７に固定されている。突出部５３１は、天板３１０の後方の隙間の内、左右端部の隙間を横切るように突出している。また、突出部５３１は、天板３１０の後方の左右両端の側、かつ、天板３１０の下方において、前後方向に延びるように突出している。障害物５３０は、取付部５３３において天板３１０の下面３１７に固定された移動阻止具として機能する。その他の各部材の構造や配置は、図１〜図５に関して前述した通りである。
【００７１】
なお、本実施形態では、突出部５３１が天板３１０の下面３１７に固定された場合を例に挙げて説明した。但し、突出部５３１の設置形態は、これだけには限定されない。例えば、突出部５３１は、天板３１０の下面３１７に着脱自在に設けられていてもよい。突出部５３１を着脱自在に設ける手段としては、例えば、磁石による手段や、吸着による手段などが挙げられる。
【００７２】
これによれば、ホース引っ掛かり抑制手段５００が障害物５３０によって構成され、被ホース接続部４１１から天板３１０よりも下方まで下降するホース４４０が天板３１０の後方の隙間Ｓ１に側方から入り込むことを障害物５３０が抑制する。そのため、ホース４４０が天板３１０の後端に引っ掛かることを抑制することができる。
【００７３】
また、突出部５３１が、天板３１０の後方の左右両端の側、かつ、天板３１０の下方において、前後方向に延びるように突出しているため、使用者８１１は、洗い場１００に立った状態では突出部５３１を視認し難い。また、使用者８１１は、天板３１０の上に載置された物を取るときなどに、突出部５３１と当たることはほとんどない。これにより、デザイン性および使い勝手の良さを確保することができる。なお、突出部５３１は、天板３１０の側方の隙間Ｓ２、Ｓ３を横切るように突出させても、側方の隙間Ｓ２、Ｓ３を経て天板３１０の後方に回り込もうとするホース４４０の移動を妨害できるため、ホース４４０が天板３１０の後端に引っ掛かることを抑制することができる。
【００７４】
また、障害物５３０が移動阻止具として天板３１０の下面３１７に固定されているため、取付部５３３に汚れが付着しづらく、取付部５３３の清掃の手間を軽減させることができる。  
さらに、図１〜図５に関して前述した効果と同様の効果が得られる。
【００７５】
次に、本発明のさらに他の実施の形態について説明する。  
図１２は、本発明の他の実施形態にかかる浴室を表す模式的平面図である。  
図１２は、本実施形態にかかる浴室を上方から眺めたときの模式的平面図である。
【００７６】
図１〜図５に関して前述した新たな課題に対して、本実施形態にかかる浴室１０では、ホース引っ掛かり抑制手段５００は、障害物３１９によって構成されている。障害物３１９は、天板３１０の第１の側端面３１１に一体的に設けられている。つまり、本実施形態の障害物３１９は、天板３１０の一部である。障害物３１９は、被ホース接続部４１１から天板３１０よりも下方まで下降するホース４４０が天板３１０の後方の隙間Ｓ１に側方から入り込むことを抑制する。
【００７７】
障害物３１９は、突出部３１９ａを有する。突出部３１９ａは、天板３１０の後方の隙間Ｓ１の内、左右端部の隙間を横切るように突出している。また、突出部３１９ａは、天板３１０の後方の左右両端の側において、前後方向に延びるように突出している。その他の各部材の構造や配置は、図１〜図５に関して前述した通りである。
【００７８】
これによれば、障害物３１９を天板３１０と一体的に設けることができるため、特別な部材を設けることなく、図６〜図１１に関して前述した効果と同様の効果を得ることができる。また、図１２に表したように、突出部３１９ａと第１の壁面１１０との間には隙間が存在するため、突出部３１９ａの側端面を清掃することができる。
【００７９】
次に、本発明のさらに他の実施の形態について説明する。  
図１３および図１４は、本発明のさらに他の実施の形態にかかる浴室を表す模式的平面図である。  
図１５は、本実施形態の障害物の具体例を表す模式的断面図である。
【００８０】
図１３は、本実施形態にかかる浴室を前方から眺めたときの模式的平面図である。図１４は、本実施形態にかかる浴室を側方から眺めたときの模式的平面図である。
【００８１】
図１〜図３に関して前述した新たな課題に対して、本実施形態にかかる浴室１０では、ホース引っ掛かり抑制手段５００は、障害物５４０を有する。障害物５４０は、被ホース接続部４１１から天板３１０よりも下方まで下降するホース４４０が天板３１０の後方の隙間Ｓ１に側方から入り込むことを抑制する。
【００８２】
より具体的に説明すると、障害物５４０は、ホース径拡大部材を有し、ホース４４０の一端と、ホース４４０の他端と、の間のホース４４０略中央部に取り付けられている。障害物５４０の外径は、ホース４４０の一端側の径およびホース４４０の他端側の径よりも大きい。ホース４４０に取り付けられた障害物５４０の外径は、天板３１０の側方の隙間の幅もしくは天板３１０の後方の隙間Ｓ１の幅（第１の側端面３１１と、第１の壁面１１０と、の間の距離Ｄ１）以上である。
【００８３】
図１５に表した具体例のように、障害物５４０は、第１のホース径拡大部材５４１と、第２のホース径拡大部材５４２と、を有する。例えば、ホース４４０は、ふたつの部材に分割されており、第１のホース部４４１と、第２のホース部４４２と、を有する。第１のホース部４４１の端部には、第１の締結部材４４３が取り付けられている。一方で、第２のホース部４４２の端部には、第２の締結部材４４４が取り付けられている。第１のホース径拡大部材５４１は、第１の締結部材４４３の外側に設けられており、第１のホース部４４１の軸に沿って移動することができる。一方で、第２のホース径拡大部材５４２は、第２の締結部材４４４の外側に設けられており、第２のホース部４４２の軸に沿って移動することができる。
【００８４】
第１のホース部４４１を第２のホース部４４２に接続するときには、まず、第１の締結部材４４３と第２の締結部材４４４とを互いに締め付ける。これにより、第１のホース部４４１が第２のホース部４４２に接続される。続いて、互いに締め付けられた第１の締結部材４４３と第２の締結部材４４４との外側において、第１のホース径拡大部材５４１と第２のホース径拡大部材５４２とを互いに結合させる。
【００８５】
第１のホース径拡大部材５４１は、凹部５４１ａを有する。第２のホース径拡大部材５４２は、凸部５４２ａを有する。第２のホース径拡大部材５４２の凸部５４２ａが第１のホース径拡大部材５４１の凹部５４１ａに挿入されることにより、第１のホース径拡大部材５４１と第２のホース径拡大部材５４２とが互いに結合する。その他の各部材の構造や配置は、図１〜図５に関して前述した通りである。
【００８６】
これによれば、ホース４４０の中央部が天板３１０の後方の隙間Ｓ１に側方から入り込むことを抑制することができる。すなわち、Ｕ字状の垂れるホース４４０のうちで天板３１０の後方の隙間Ｓ１に側方から入り込む部分は、ホース４４０の一端およびホース４４０他端ではなく、ホース４４０の中央部である。ホース４４０の中央部の径が、障害物５４０のホース径拡大部材により、天板３１０の側方の隙間の幅もしくは天板３１０の後方の隙間Ｓ１の幅以上となっているため、天板３１０の後方の隙間Ｓ１に側方から入り込むことを抑制することができる。なお、ホース４４０に取り付けられた障害物５４０の外径を、天板３１０の側方の隙間の幅以上にした場合は、天板３１０の側方の隙間へホース４４０が前方から入り込むことを抑制でき、結果的に天板３１０の後方の隙間Ｓ１にホース４４０が入り込むことを抑制することができるため、ホース４４０が天板３１０の後端に引っ掛かることを抑制することができる。
【００８７】
次に、本発明のさらに他の実施の形態について説明する。  
図１６〜図１８は、本発明のさらに他の実施の形態にかかる浴室を表す模式的平面図である。
【００８８】
図１６は、本実施形態にかかる浴室を上方から眺めたときの模式的平面図である。図１７は、本実施形態にかかる浴室を前方から眺めたときの模式的平面図である。図１８は、本実施形態にかかる浴室を側方から眺めたときの模式的平面図である。
【００８９】
本実施形態にかかる浴室１０では、支持材３２０は、第１の支持具３２１と、第２の支持具３２２と、を有する。第１の支持具３２１は、天板３１０の右端部の下面３１７を支持する。図１６に表したように、上面視において、天板３１０の後端よりも後方の第１の支持具３２１単体の横方向の幅は、天板３１０の横方向の幅よりも狭い。第２の支持具３２２は、天板３１０の左端部の下面３１７を支持する。図１６に表したように、上面視において、天板３１０の後端よりも後方の第２の支持具３２２単体の横方向の幅は、天板３１０の横方向の幅よりも狭い。
【００９０】
第１の支持具３２１および第２の支持具３２２のそれぞれの一端は、例えばボルトなどの締結具により第１の壁面１１０に固定されている。第１の支持具３２１および第２の支持具３２２のそれぞれの他端は、例えばネジなどの締結具により天板３１０の下面３１７に固定され、天板３１０の下面３１７を支持している。なお、第１の支持具３２１および第２の支持具３２２は、天板３１０の下面３１７を直接的に支持しているのではなく、天板３１０の撓みを抑える補強材（図示せず）を介して天板３１０の下面３１７を支持していてもよい。
【００９１】
本実施形態にかかる浴室１０では、第１の支持具３２１および第２の支持具３２２は、ホース引っ掛かり抑制手段５００として機能する。ホース引っ掛かり抑制手段５００は、障害物５６０によって構成されている。つまり、本実施形態の障害物５６０は、天板３１０を支持する機能と、被ホース接続部４１１から天板３１０よりも下方まで下降するホース４４０が天板３１０の後方の隙間Ｓ１に側方から入り込むことを抑制する機能と、の両方を有する。第１の支持具３２１が天板３１０の右端側に配置されると共に、第２の支持具３２２が天板３１０の左端側に配置されることで、第１の支持具３２１および第２の支持具３２２は、シャワーヘッド４３０が天板３１０よりも前方で操作されているときに、被ホース接続部４１１から天板３１０よりも下方まで下降するホース４４０が天板３１０の後方における天板３１０と第１の壁面１１０との間の隙間Ｓ１に側方から入り込むことを抑制する障害物となるよう構成されている。その他の各部材の構造や配置は、図１〜図５に関して前述した通りである。
【００９２】
本実施形態によれば、天板３１０の後端よりも後方において横方向の幅が天板３１０の横方向の幅よりも狭い第１の支持具３２１を右端側に配置し、第２の支持具３２２を左端側に配置して天板３１０が支持されるため、支持材３２０の上面の清掃面積を小さく抑えることができる。これにより、水が比較的かかりやすい支持材３２０の上面の清掃の手間を軽減することができる。  
また、天板３１０の右端側に配置された第１の支持具３２１および天板３１０の左端側に配置された第２の支持具３２２によって、側方から天板３１０の後方の隙間Ｓ１に入り込もうとするホース４４０を妨害できるため、支持材３２０によって天板３１０を支持しつつ、被ホース接続部４１１から天板３１０よりも下方まで下降するホース４４０が天板３１０の後方の隙間Ｓ１に側方から入り込むことを抑制できる。よって、別途専用の部材を設けることなく、ホース４４０が天板３１０の後方の隙間Ｓ１に側方から入り込むことを抑制できる。
【００９３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室１０、カウンタ３００、および水栓４００などが備える各要素の形状、寸法、材質、配置などやカウンタ３００、水栓４００、および引っ掛かり抑制手段５００の設置形態などは、例示したものに限定されるわけではなく適宜変更することができる。  
また、ホース引っ掛かり抑制手段５００を構成する障害物としては、上述した実施形態以外にも、例えば、天板３１０よりも上方から下方に延びる手すりなどで構成しても構わない。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９４】
１０ 浴室、  １００ 洗い場、  １１０ 第１の壁面、  １２０ 第２の壁面、  ２００ 浴槽、  ２１０ 側面、  ３００ カウンタ、  ３１０ 天板、  ３１１ 第１の側端面、  ３１２ 第２の側端面、  ３１３ 第３の側端面、  ３１４ 第４の側端面、  ３１６ 上面、  ３１７ 下面、  ３１９ 障害物、  ３１９ａ 突出部、  ３２０ 支持材、  ３２１ 第１の支持具、  ３２２ 第２の支持具、  ４００ 水栓、  ４１１ 被ホース接続部、  ４１１ａ 雄ねじ、  ４１３ 吐水部、  ４３０ シャワーヘッド、  ４４０ ホース、  ４４１ 第１のホース部、  ４４２ 第２のホース部、  ４４３ 第１の締結部材、  ４４４ 第２の締結部材、  ４４８ 接続金具、  ４４８ａ 雌ねじ、  ５００ ホース引っ掛かり抑制手段、  ５３０ 障害物、  ５３１ 突出部、  ５３３ 取付部、  ５３８ 締結部材、  ５４０ 障害物、  ５４１ 第１のホース径拡大部材、  ５４１ａ 凹部、  ５４２ 第２のホース径拡大部材、  ５４２ａ 凸部、  ５５０ 障害物、  ５５１ 突出部、  ５６０ 障害物、  ８０１ 鏡、  ８１１ 使用者
【図１】
0006489506.tif 000002
【図２】
0006489506.tif 000003
【図３】
0006489506.tif 000004
【図４】
0006489506.tif 000005
【図５】
0006489506.tif 000006
【図６】
0006489506.tif 000007
【図７】
0006489506.tif 000008
【図８】
0006489506.tif 000009
【図９】
0006489506.tif 000010
【図１０】
0006489506.tif 000011
【図１１】
0006489506.tif 000012
【図１２】
0006489506.tif 000013
【図１３】
0006489506.tif 000014
【図１４】
0006489506.tif 000015
【図１５】
0006489506.tif 000016
【図１６】
0006489506.tif 000017
【図１７】
0006489506.tif 000018
【図１８】
0006489506.tif 000019